(57)【要約】      （修正有）【課題】雨の日に傘を差しながらであってもスマートフォンを利用しやすくするアダプターと、アダプター付きスマートフォンカバーを提供する。【解決手段】スマートフォンの主面に設けられた表示部を露出させる開口と、スマートフォンの少なくとも一側面もしくは背面を覆う側壁部６もしくは背面部４とを有し、スマートフォンの外側に嵌め合わせられるカバー本体２と、側壁部６もしくは背面部４と一体的に又は側壁部６もしくは背面部４に着脱自在に形成され、内径が傘柄の外径と等しく内周面が横断面において中心角１８０度超の円弧をなす縦割り筒状のアダプター３とを備え、円弧の両端間の開口より傘柄をアダプター３内に押し込むことにより、同アダプターを介してカバー本体２を傘柄に固定できるようにしたことを特徴とする。【選択図】図１
0003183624.tif 000002
【実用新案登録請求の範囲】
【請求項１】
スマートフォンの主面に設けられた表示部を露出させる開口と、前記スマートフォンの少なくとも一側面もしくは背面を覆う側壁部もしくは背面部とを有し、前記スマートフォンの外側に嵌め合わせられるカバー本体と、
前記側壁部もしくは背面部と一体的に又は前記側壁部もしくは背面部に着脱自在に形成され、内径が傘柄の外径と等しく内周面が横断面において中心角１８０度超の円弧をなす縦割り筒状のアダプターとを備え、
前記円弧の両端間の開口より前記傘柄を前記アダプター内に押し込むことにより、同アダプターを介してカバー本体を傘柄に固定できるようにしたことを特徴とするアダプター付きスマートフォンカバー。
【請求項２】
スマートフォンの主面に設けられた表示部を露出させる開口と、前記スマートフォンの少なくとも一側面もしくは背面を覆う側壁部もしくは背面部とを有し、前記スマートフォンの外側に嵌め合わせられるカバー本体における前記側壁部もしくは背面部に取り付け可能であって、
内径が傘柄の外径と等しく内周面が横断面において中心角１８０度超の円弧をなす縦割り筒状をなし、
前記円弧の両端間の開口より前記傘柄を押し込むことにより、カバー本体を傘柄に固定できるようにしたことを特徴とするアダプター。
【請求項３】
前記側壁部もしくは背面部に両面テープにて取り付けられる請求項２に記載のアダプター。
【考案の詳細な説明】
【技術分野】
【０００１】
この考案は、カバー本体を傘柄に固定するためのアダプターの付いたスマートフォンカバーとそのアダプターに関する。
【背景技術】
【０００２】
スマートフォンは、電話・メールなどの通信機能だけでなく、カメラ、ゲームソフト、位置情報サービス、電子書籍などの様々なアプリケーション機能を搭載し、衝撃に弱い精密な部品で構成されている。このため、衝撃を緩和するゴムやプラスチックなどからなるカバー（例えば特許文献１）を装着して使用されることが多い。
【先行技術文献】
【特許文献】
【０００３】
【特許文献１】特開２０１３−１７０５９
【考案の概要】
【考案が解決しようとする課題】
【０００４】
しかし、降雨中に重い荷物などを一方の手で持ちながら徒歩で移動するときは他方の手も傘でふさがっていることから、スマートフォンの画面表示部に映し出された位置情報サービスの地図を見続けながら目的地までたどり着くのは困難である。従って、しばしば立ち止まって傘か荷物のいずれかをスマートフォンと持ち代えるしかなく、使い勝手が良くない。
それ故、この考案の課題は、このように雨の日に傘を差しながらであってもスマートフォンを利用しやすくするアダプター付きスマートフォンカバーを提供することにある。
【課題を解決するための手段】
【０００５】
その課題を解決するために、この考案のアダプター付きスマートフォンカバーは、
スマートフォンの主面に設けられた表示部を露出させる開口と、前記スマートフォンの少なくとも一側面もしくは背面を覆う側壁部もしくは背面部とを有し、前記スマートフォンの外側に嵌め合わせられるカバー本体と、
前記側壁部もしくは背面部と一体的に又は前記側壁部もしくは背面部に着脱自在に形成され、内径が傘柄の外径と等しく内周面が横断面において中心角１８０度超の円弧をなす縦割り筒状のアダプターとを備え、
前記円弧の両端間の開口より前記傘柄を前記アダプター内に押し込むことにより、同アダプターを介してカバー本体を傘柄に固定できるようにしたことを特徴とする。
【０００６】
この考案のスマートフォンカバーをスマートフォンの外側に嵌め合わせて装着しておけば、降雨時には傘柄をアダプター内に押し込むことにより、スマートフォンをカバー本体とともに傘柄に固定することができる。このようにして傘を差すと、傘柄に隣接してスマートフォンが丁度利用者の正面に位置することとなる。従って、スマートフォンを直接持たなくても傘を差した状態でスマートフォンの表示部を見続けることができる。
【０００７】
また、常時は傘柄に代えて傘柄と略同じ外径のボールペンやタッチペンなどの筆記具をアダプター内に差し込んでおくことで、アダプターの利用効率を上げることもできる。
尚、アダプターの材質は、傘柄が押し込まれるときも引き抜くときも前記円弧の両端間の開口が開く方向に弾性変形し、完全に押し込まれ又は引き抜かれた状態では閉じる方向に復元して定形を保つことができるような弾性率と機械的強度を有するものが選ばれる。
アダプターは、アダプターの付いていない即ちカバー本体のみからなる既製のスマートフォンカバーの側壁部もしくは背面部に両面テープや熱融着などにて簡易に取り付けられるものでもよい。
【考案の効果】
【０００８】
この考案によれば、傘と重い荷物とで両手が塞がっていてもスマートフォンの表示部を見続けることができるので、降雨時であっても地図や書籍などを表示させてスマートフォンの利用価値を高めることができる。
【図面の簡単な説明】
【０００９】
【図１】実施形態のスマートフォンカバーを示し、（ａ）はその正面図、（ｂ）は同じく底面図、（ｃ）は同じく側面図である。
【図２】実施形態のスマートフォンカバーをスマートフォンに装着し、傘柄に固定した状態を示す正面図である。
【図３】実施形態のスマートフォンカバーをスマートフォンに装着し、ボールペンをアダプターに差し込んだ状態を示す正面図である。
【考案を実施するための形態】
【００１０】
−実施形態１−
実施形態のスマートフォンカバーの構成を図１とともに説明する。スマートフォンカバー１は、正面視長方形の本体２と、本体２の短辺方向片側に設けられたアダプター３とからなる。以下、上下左右を言うときは正面視における上下左右を指すものとする。
【００１１】
本体２は、四隅が丸く面取りされた正面視長方形板状の背面部４と、背面部４の両長辺に沿って正面視手前にスマートフォンの厚さ程度突き出るように形成された側壁部５、６とからなる。従って、本体２の前面は大きく開口している。背面部４には右上端付近に内蔵カメラのレンズを露出させるための小窓７が形成されている。側壁部５、６は、いずれも長寸方向両端が前記面取り部分に沿って湾曲し、背面部４の短辺方向に差し掛かっている。左側壁部５の上端付近にはスマートフォンの側面に設けられたボタンを露出させるための切り欠き８が形成されている。
【００１２】
アダプター３は、右側壁部６と一体的に右側壁部６の長寸方向中間部に形成され、内径が傘柄の外径と等しく長さが右側壁部６より短い軸方向に貫通した筒状をなしている。アダプター３は、その内周面が横断面即ち径方向断面において中心角２００〜３００度程度の円弧をなすように縦割りされ、軸方向に延びる溝９が右側壁部６と反対側に形成されている。溝９の間隔すなわち前記円弧の両端間は傘柄の外径よりも小さいが、アダプター３はゴム、プラスチックからなるので、溝９の間隔が開く方向に外力が作用すると、その間隔が傘柄の外径以上となる程度にまで弾性変形可能である。
【００１３】
スマートフォンカバー１は、これをスマートフォンの外側に嵌め合わせて装着しておけば、降雨時には傘柄を溝９からアダプター３内に押し込むことにより、図２に示すようにスマートフォンをカバー本体とともに傘柄に固定することができる。このようにして傘を差すと、傘柄に隣接してスマートフォンが丁度利用者の正面に位置することとなる。従って、スマートフォンを直接持たなくても傘を差した状態でスマートフォンの表示部を見続けることができる。
また、常時は傘柄に代えて図３に示すように傘柄と略同じ外径のボールペンやタッチペンなどの筆記具をアダプター３内に差し込んでおくことで、アダプター３の利用効率を上げることもできる。
【００１４】
−実施形態２−
実施形態１ではアダプター３をカバー本体２と一体型としたが、アダプター３を単独で成形し、両面テープを介して溝９と反対側の面を本体２の右側壁部６に固着するようにしてもよい。
【００１５】
−実施形態３−
実施形態１ではアダプター３の弾性復元力だけでカバー本体２を傘柄に固定しているが、溝９の間隔をもっと広くして傘柄が入り易くし、その代わりに溝９の一方の側に面ファスナーのフック側もしくはループ側を取り付け、他方の側にループ側もしくはフック側を取り付けて、面ファスナーにて脱落を防止するようにしても良い。
【００１６】
−実施形態４−
実施形態１−３ではアダプター３を右側壁部６に設けたが、側壁部の高さが低くて、そこにアダプターを配置させるのが困難であるときは、背面部に設けても良い。
【符号の説明】
【００１７】
１  スマートフォンカバー
２  カバー本体
３  アダプター
４  背面部
５、６  側壁部
７  小窓
８  切り欠き
９  溝
【図１】
0003183624.tif 000003
【図２】
0003183624.tif 000004
【図３】
0003183624.tif 000005